(57)【特許請求の範囲】
【請求項１】
信号を生成する入力装置と、
前記入力装置に接続され、同期信号と映像信号を出力する処理装置と、
前記処理装置に接続され、前記処理装置から入力した同期信号と映像信号に基づき表示を行なう表示装置を有するコンピュータシステムにおいて、
前記処理装置は、前記表示装置の表示画面の制御状態を調整するための調整プログラムを格納する第１のメモリと、前記第１のメモリから前記調整プログラムを読み出すプロセッサと、前記同期信号と前記映像信号を送出する表示制御回路とを備え、
前記入力装置によって前記表示装置の表示画面の制御状態に関するデータ信号が生成されると前記調整プログラムに従って前記データ信号を処理し、前記表示装置の表示画面の制御状態を調整する制御信号として前記表示装置に出力し、
前記表示装置は受信した制御信号によって調整した表示画面の制御情報が書き込まれる不揮発性メモリを有するものであって、
前記処理装置は前記不揮発性メモリに格納された制御情報を取得することを特徴とするコンピュータシステム。
【請求項２】
前記制御信号は、前記表示装置の表示画面の大きさの調整を指示する制御情報を含むことを特徴とする請求項１に記載されたコンピュータシステム。
【請求項３】
前記制御信号は、前記表示装置の表示画面の位置の調整を指示する制御情報を含むことを特徴とする請求項１に記載されたコンピュータシステム。
【請求項４】
前記制御信号は、前記表示装置の表示画面の輝度の調整を指示する制御情報を含むことを特徴とする請求項１に記載されたコンピュータシステム。
【請求項５】
前記表示装置は、前記処理装置によって出力された制御信号を受信し、受信した前記制御信号に基づいて前記表示装置の表示画面の制御状態を調整することを特徴とする請求項１に記載されたコンピュータシステム。
【請求項６】
前記制御信号は表示画面の輝度の調整を指示する制御情報を含むことを特徴とする請求項１に記載されたコンピュータシステム。
【請求項７】
データ信号を生成するための入力装置と、
前記入力装置と接続され、前記入力装置からのデータ信号に基づいてデータの処理を行う処理装置と、
前記処理装置と接続された表示装置を有するコンピュータシステムにおいて、
前記処理装置は、前記表示装置に同期信号と画像信号を出力する手段と、
前記表示装置から表示画面の制御状態の情報を受信する手段と、
前記入力装置からの特定の信号に応じて前記表示装置の表示画面の制御状態を調整するための調整信号を出力する手段を有し、
前記表示装置は前記処理装置に送信する前記表示画面の制御状態を格納する不揮発性メモリを有することを特徴とするコンピュータシステム。
【請求項８】
前記表示装置は、前記調整信号を受信する手段を備え、
受信した調整信号に基づき前記表示画面の制御状態を調整することを特徴とする請求項８に記載のコンピュータシステム。
【請求項９】
前記同期信号と画像信号を出力する手段は、前記処理装置が有する表示制御回路であることを特徴とする請求項７に記載のコンピュータシステム。
【請求項１０】
前記調整信号は表示画面の大きさの調整を指示する制御情報を含むことを特徴とする請求項７に記載のコンピュータシステム。
【請求項１１】
前記調整信号は表示画面の位置の調整を指示する制御情報を含むことを特徴とする請求項７に記載のコンピュータシステム。
【請求項１２】
前記調整信号は表示画面の輝度の調整を指示する制御情報を含むことを特徴とする請求項７に記載のコンピュータシステム。
【請求項１３】
前記処理装置は前記不揮発性メモリから制御情報を取得することによって前記表示装置の表示画面の制御状態をモニターすることを特徴とする請求項１に記載のコンピュータシステム。
【請求項１４】
前記処理装置は前記不揮発性メモリから表示画面の制御状態の情報を受信することによって前記表示装置の表示画面の制御状態をモニターすることを特徴とする請求項１に記載のコンピュータシステム。
【発明の詳細な説明】
【０００１】
【産業上の利用分野】
本発明は、キーボード等の入力装置とコンピュータ本体とディスプレイ装置とで構成される画像表示装置に関し、特に、ディスプレイ装置における画面の表示サイズや位置、明るさなどの各種調整をキーボード等の入力装置からコンピュータ本体を介して調整可能として使い勝手を向上した画像表示装置に関するものである。
【０００２】
【従来の技術】
現在、コンピュータ端末等のディスプレイ装置では、画面の表示位置や表示サイズ、及び表示すべき映像信号の偏向周波数が多種多様となっている。このため、コンピュータ端末等のディスプレイ装置としては、１台で各種の映像信号（ビデオ信号）に対応可能なディスプレイ装置が使用されるようになってきた。
【０００３】
この種のディスプレイ装置としては、マイクロコンピュータやメモリＬＳＩなどを用いて、映像信号の各種類毎に最適な画面表示を提供しようとするものがあり、この様な従来例としては、例えば、特開平１−３２１４７５号公報に記載のものなどを挙げることができる。
【０００４】
この従来例では、予め、映像信号の種類毎に画面の表示位置及び表示サイズ情報を記憶しているメモリを、マイクロコンピュータなどで制御し、入力映像信号に応じた最適な画面の表示位置及び表示サイズ情報を、そのメモリより読み出し、その読み出された情報に基づきディスプレイ装置の偏向回路などを制御する。また、ディスプレイ装置に入力された映像信号が既知のものでない場合には、上記メモリには対応する情報が保持されていないので、ディスプレイ装置の前面等に配される調整スイッチなどを操作し、画面の表示位置及び表示サイズ等の調整情報の入力を行う。この入力情報に基づき上記マイクロコンピュータなどの制御回路が偏向などの制御情報を作成し、調整が行われる。
【０００５】
上記従来例は、ディスプレイ装置側で入力映像信号に合わせて、最適な画面表示を得ようとするものであるが、その他の従来例として、コンピュータ本体側から制御して表示状態を切り換えるようにしたものがあり、この様な従来例としては、特公平２−６０１９３号公報に記載のものなど挙げることができる。
【０００６】
この従来例では、コンピュータ本体が、映像信号の帰線消去期間に判別パルスを重畳して出力し、ディスプレイ装置がその判別パルスを基に偏向周波数を切り換えている。
【０００７】
【発明が解決しようとする課題】
上記した２つの従来例のうち、前者の従来例においては、画面の表示位置及び表示サイズ等の制御はすべてディスプレイ装置側で管理されるため、調整の必要あるいは要求が生じたときには、コンピュータ本体に接続されたキーボード等の入力装置からいちいち手を離して、ディスプレイ装置の調整スイッチなどに手を延ばして操作する必要があり、使い勝手の面で煩わしさがあった。
【０００８】
また、後者の従来例においては、コンピュータ本体に接続されたキーボード等の入力装置から操作することができるが、単に偏向周波数を２値でしか切り換えることができないため、コンピュータの利用者が必要とする表示状態を十分得ることが出来ないという問題点があった。
【０００９】
そこで、本発明の目的は、上記した従来技術の問題点を解決し、ディスプレイ装置の調整スイッチなどに手を延ばさなくとも、手元にあるキーボード等の入力装置から表示画面の調整が行なえ、しかも、利用者の必要とする表示状態を的確に得ることができる画像表示装置を提供することにある。
【００１０】
【課題を解決するための手段】
上記問題点を解決するために、本発明では、一般的なコンピュータシステムにおいて、コンピュータ本体内に、表示画面の制御信号を映像信号もしくは同期信号に重畳する重畳手段を設け、ディスプレイ装置内に、重畳された制御信号を抽出する抽出手段と、抽出された制御信号により表示状態を調整する制御手段と、を設けるようにした。
【００１１】
または、コンピュータ本体内に、制御信号を作成し所定の方式で出力する作成手段を設け、ディスプレイ装置内には、該制御信号を受け取り表示状態を調整する制御手段を設けるようにした。
【００１２】
または、コンピュータ本体内に、作成した画像データと表示画面の制御信号とを共にディジタル信号の形式でディスプレイ装置に対して出力する表示処理手段を設け、ディスプレイ装置内に、上記画像データよりアナログ映像信号及び同期信号を作成し、制御信号よりディスプレイ装置の所定箇所を調整する調整信号を出力する制御手段を設けるようにした。
【００１３】
または、コンピュータ本体内に、表示画面の制御信号をコンピュータ本体を動作させるための交流電源に重畳する変調手段を設け、ディスプレイ装置内に、変調された制御信号を抽出する復調手段と、復調手段からの制御信号でディスプレイ装置の内部回路を調整して所定の表示画面を得る制御手段と、を設けるようにした。
【００１４】
更にまたは、キーボード等の入力装置からの制御信号をそのままディスプレイ装置で受け、ディスプレイ装置内には、表示画面の調整に係わる制御信号を識別する命令識別手段と、該命令識別手段からの信号で表示画面の調整を行う制御手段と、を設けるようにした。
【作用】
コンピュータ本体内の重畳手段は、キーボード等の入力装置から入力された命令がディスプレイ装置の表示画面の調整に関する場合に、コンピュータ本体から出力する映像信号もしくは同期信号にディスプレイ装置の制御信号を重畳し、ディスプレイ装置側では、抽出手段が重畳された制御信号を取り出し、制御手段は該制御信号に従ってディスプレイ装置の内部回路の調整を行い、所望の画面表示を得る。
【００１５】
または、作成手段は、上記キーボード等の入力装置からの表示画面の制御命令に沿った制御信号を作成して、専用接続線を通して出力し、ディスプレイ装置側の制御手段は、前記制御信号を入力すると、その制御信号に従ってディスプレイ装置の内部回路の所定部分を調整し、表示画面の調整を行う。
【００１６】
または、表示処理手段は、コンピュータ本体内のＣＰＵで作成される描画命令を処理し、映像表示を行うための画像データを作成し、更に表示画面の制御信号も作成して、画像データと制御信号をディジタル信号送受信の所定の方式によりディスプレイ装置に出力する。また、制御手段は、前記表示処理手段からの画像データ及び制御信号を受け取り、映像信号と同期信号、及びディスプレイ装置の内部回路に対する調整信号を作成する。
【００１７】
または、変調手段は、表示画面の調整に関する情報あるいは命令から表示画面の制御信号を作成し、コンピュータ本体に供給される交流電源にその制御信号を重畳し、制御信号の伝送を行う。復調手段は、前記変調手段によって重畳された制御信号を抽出する。制御手段は、前記復調手段からの制御信号によりディスプレイ装置の内部回路の所定箇所を調整し、表示画面の調整を行う。
【００１８】
更にまたは、命令識別手段は、キーボード等の入力装置から直接到来する信号の内で表示画面の調整に関するものを識別し、調整用の制御信号を作成する。制御手段は、前記命令識別手段からの制御信号に応じて、ディスプレイ装置の内部回路の所定箇所を調整し、表示画面の調整を行う。
【００１９】
【実施例】
以下、本発明の実施例について図を用いて説明する。
【００２０】
図１は本発明の第１の実施例を示すブロック図である。同図において、１ａはコンピュータ本体を示しており、この中で１１はＣＰＵ、１２はコンピュータ本体１ａに接続されたキーボード（図示せず）から入力される各種命令を処理するキーボードコントローラ、１３はメモリ回路、１４は周辺機器との接続を行う為の入出力ポート、１５はディスプレイ装置を駆動するための映像信号及び同期信号を発生する表示制御回路、１６は表示制御回路１５から出力された映像信号または同期信号に制御信号を重畳する制御信号重畳回路、１７はフロッピディスク駆動回路、である。また、１ｂはディスプレイ装置を示しており、この中で１８は制御信号重畳回路１６から出力された映像信号または同期信号から前記制御信号を抽出する制御信号抽出回路、１９は制御信号抽出回路１８により抽出された制御信号をもとに所定の回路に対する調整信号を発生するディスプレイ制御回路、２０はビデオ回路、２１は偏向回路、２２は映像を表示するための陰極線管、である。
【００２１】
図１の動作は以下のようになる。コンピュータ本体１ａにおいて、制御信号重畳回路１６を除く部分は従来のパーソナルコンピュータやワークステーションなどの一般的な構成と同様である。
【００２２】
先ず、コンピュータ本体１ａに接続されたキーボードから、コンピュータの利用者が、ディスプレイ装置１ｂの表示画面を調整するための制御命令を入力すると、キーボードコントローラ１２がその制御命令をディジタル符号化し、その後、ＣＰＵ１１がその制御命令を認識して、制御信号重畳回路１６の制御を行う。
【００２３】
制御信号重畳回路１６では、前記制御命令に対応した制御信号を作成して、表示制御回路１５で発生された、ディスプレイ装置１ｂを駆動するための映像信号あるいは同期信号の垂直帰線期間に重畳する。
【００２４】
次に、ディスプレイ装置１ｂの制御信号抽出回路１８が、制御信号重畳回路１６から出力された映像信号あるいは同期信号から、重畳された制御信号を抽出して、ディスプレイ制御回路１９へ出力すると共に、映像信号をビデオ回路２０へ、同期信号を偏向回路２１へそれぞれ出力する。
【００２５】
ディスプレイ制御回路１９では、入力された制御信号をもとに、ビデオ回路２０及び偏向回路２１に対する調整信号を発生し、ビデオ回路２０及び偏向回路２１を調整する。
【００２６】
この様にして、表示画面の調整が行なわれ、陰極線管２２に表示される映像はコンピュータ利用者の所望するものとなる。
【００２７】
図２は図１の制御信号重畳回路１６の一具体例を示すブロック図であり、図３は図２の要部信号の波形を示す波形図である。
【００２８】
図２において、１６１はアドレスデコーダ、１６２はデータラッチ回路、１６３はパルスのエッジ検出回路、１６４はシフトレジスタ回路、１６５及び１７０はアンド回路、１６６は信号レベルを変換するレベル変換回路、１６７はアナログスイッチ、１６８はクロックパルスを１７個計数するカウンタ回路、１６９はセットリセットタイプのフリップフロップ回路（以下、ＲＳＦＦ回路という）である。
【００２９】
同図の動作は次のようになる。
【００３０】
前述したように、コンピュータ本体１ａに接続されたキーボードから、コンピュータの利用者が、ディスプレイ装置１ｂの表示画面を調整するための制御命令を入力すると、キーボードコントローラ１２がその制御命令をディジタル符号化し、その後、ＣＰＵ１１がその制御命令を認識して、制御信号重畳回路１６に対し、コンピュータバスを介して制御データを送る。
【００３１】
アドレスデコーダ１６１は、送られてきた制御データがディスプレイ装置１ｂの表示画面を調整するための制御データの場合には、その制御データをデータラッチ回路１６２に取り込ませる。次に、エッジ検出回路１６３は、垂直同期信号Ｖｓの先頭部分を水平同期信号Ｈｓを用いて検出し、このエッジ検出パルスをシフトレジスタ回路１６４、カウンタ回路１６８及びＲＳＦＦ回路１６９に出力する。
【００３２】
カウンタ回路１６８では、エッジ検出パルスをリセット信号とし、水平同期信号Ｈｓをクロック信号として、その立ち上がりで計数動作をし、リセット信号入力後１７クロック計数すると、キャリー出力をＲＳＦＦ回路１６９のリセット入力端子に送る。従って、ＲＳＦＦ回路１６９からは、図３に示すＶゲートパルスが出力される。このＶゲートパルスのハイレベルの期間にディスプレイ装置１ｂに対する制御信号が重畳される。
【００３３】
一方、シフトレジスタ回路１６４は、エッジ検出回路１６３からのエッジ検出パルスにより、データラッチ回路１６２に保持されている制御データを読み込んでくる。次に、シフトレジスタ回路１６４は、アンド回路１７０によりＶゲートパルスのハイレベルの期間だけ出力される水平同期信号Ｈｓをクロック信号としてシフト動作を行い、図３に示す制御データを出力する。
【００３４】
更に、この制御データは、アンド回路１６５で水平同期信号Ｈｓとの積を取られた後、レベル変換回路１６６により映像信号レベルに変換され、スイッチ回路１６７に入力される。スイッチ回路１６７の他方の入力には、映像信号のうち、Ｂ（青色）映像信号が入力され、前記Ｖゲートパルスをスイッチ切り換え制御信号として、ハイレベルの期間はレベル変換回路１６６の出力を、また、それ以外のローレベルの期間ではＢ映像信号を選択し、図３に示すような制御信号の重畳されたＢ映像信号を得ることができる。ここでは、色の視覚感度が低いＢ映像信号に制御信号を重畳しているが、それ以外のＲ（赤色），Ｇ（緑色）映像信号や同期信号に重畳してもかまわない。
【００３５】
次に、図４は図１の制御信号抽出回路１８及びディスプレイ制御回路１９の一具体例を示すブロック図であり、図５は図４の要部信号の波形を示す波形図である。
【００３６】
図４において、４０１は分配器、４０２はローパスフィルタ（以下、ＬＰＦという）、４０３はレベル変換回路、４０４と４０５はバッファ、４０６は１７カウント回路、４０７はＲＳＦＦ回路、４０８と４０９はアンド回路、４１０はインバータ、４１１は１６段シフトレジスタ回路、４１２はデコーダ回路、４１３はＤ／Ａ変換回路（以下、ＤＡＣという）、４１４はエッジ検出回路、である。
【００３７】
以下、図４の動作について図５を用いて説明する。
【００３８】
制御信号重畳回路１６からのＢ映像信号は、分配器４０１に入力され、２つに分配されて、一方は他の映像信号と共に図１に示したビデオ回路２０に出力され、他方はＬＰＦ４０２に出力される。ＬＰＦ４０２に入力されたＢ映像信号は、ＬＰＦ４０２で、Ｂ映像信号中のノイズ等の不要周波数成分が除去され、その後、次段のレベル変換回路４０３で、ディジタル信号レベルに変換される。
【００３９】
また、垂直同期信号Ｖｓは、バッファ４０４を経て、エッジ検出回路４１４に入力され、そこで、先頭エッジが検出され、図５に示すエッジ検出パルス４１８として、１７カウント回路４０６、ＲＳＦＦ回路４０７、１６段シフトレジスタ回路４１１にそれぞれ出力される。
【００４０】
先ず、１７カウント回路４０６では、エッジ検出パルス４１８によりリセットがかかると、バッファ４０５を介して入力される水平同期信号Ｈｓを計数用クロックとして計数動作を行い、その立ち上がりを１７クロック数えると、１７検出パルスを出力する。次に、ＲＳＦＦ回路４０７では、エッジ検出パルス４１８をセット信号として、１７検出パルスをリセット信号としてそれぞれ受け取り、図５に示すＶゲートパルス４１９を作成する。
【００４１】
アンド回路４０８は、レベル変換回路４０３の出力とＲＳＦＦ回路４０７からのＶゲートパルスとの積を取り、Ｂ映像信号に重畳された制御信号４２０を抜き出して出力する。また、もう一つのアンド回路４０９は、上記Ｖゲートパルスとインバータ４１０で論理反転したバッファ４０５からの水平同期信号Ｈｓとの積を取り、１６段シフトレジスタ回路４１１とＤＡＣ４１３用のクロック信号を作る。
【００４２】
１６段シフトレジスタ回路４１１は、エッジ検出パルス４１８により保持内容をリセットし、前記制御信号４２０をアンド回路４０９からのクロック信号により順次保持して行く。デコーダ回路４１２では、１６段シフトレジスタ回路４１１の初段、２段、１５段、１６段目の保持値をデコードし、制御信号４２０中のスタートビット，ストップビットを検出すると、図５に示すＤＡＣ４１３用のロードパルス４２２を出力する。また、１６段シフトレジスタ回路４１１の２段目の出力は、図５に示すＤＡＣ４１３のシリアルデータ４２１として用いる。
【００４３】
ＤＡＣ４１３は、シリアルデータ入力で多チャンネル内蔵タイプのＤ／Ａ変換器であって、図５に示すシリアルデータ４２１内のＤＡＣ制御アドレスに従い、複数の内蔵Ｄ／Ａ変換器のうち、いずれかを選択し、制御データ部分の値によってＤ／Ａ変換出力値を更新する。この際、シリアルデータ４２１を、アンド回路４０９からのクロック信号に同期して順次取り込んで行き、デコーダ回路４１２からのロードパルス４２２の立ち上がり部分で取り込みデータを確定する。
【００４４】
こうして、ＤＡＣ４１３から調整信号として出力される調整電圧もしくは調整電流により、図１に示したビデオ回路２０及び偏向回路２１の調整を行うことができる。
【００４５】
次に、図６は図１の制御信号抽出回路１８及びディスプレイ制御回路１９の他の具体例を示すブロック図である。同図において、６０１はセレクタ、６０２はワンチップマイクロコンピュータ（以下、マイコンという）、６０３は書き込み可能な読み出し専用メモリ（以下、ＥＥＰＲＯＭという）であり、その他、図４と同一番号は同一機能を有する。
【００４６】
同図の動作は以下のようになる。
【００４７】
アンド回路４０８によりＢ映像信号中に重畳されている制御信号を抽出し、アンド回路４０９により１６段シフトレジスタ回路４１１の書き込み用のクロック信号を作成する部分までは、図４の場合とまったく同様の動作である。この具体例では、マイコン６０２を用いて、図１に示すコンピュータ本体１ａ側から送られてくるディスプレイ装置１ｂに対する制御信号を処理している。
【００４８】
先ず、通常、マイコン６０２は、セレクタ６０１を制御し、アンド回路４０９からの書き込み用のクロック信号を選択させ、１６段シフトレジスタ回路４１１に上記制御信号を書き込ませる。この時、マイコン６０２には、エッジ検出回路４１４からのエッジ検出パルスが割り込み信号として入力され、所定時間経過後には、セレクタ６０１を制御してマイコン６０２からの読み出し用のクロック信号を選択させるようにする。
【００４９】
１６段シフトレジスタ回路４１１に保持されていた制御信号は、マイコン６０２からの読み出し用のクロック信号により順次読み出され、マイコン６０２に入力される。マイコン６０２では、取り込んだ信号が正しい制御信号である場合には、ＤＡＣ４１３に制御データを出力し、ディスプレイ装置１ｂ内の所定の回路の調整を行う。また、この制御データはＥＥＰＲＯＭ６０３にも書き込まれ、次回、ディスプレイ装置１ｂの電源投入時などに、ＥＥＰＲＯＭ６０３からその制御データが読み出されて、所定の調整が行われる。
【００５０】
また、この具体例では、予め、ＥＥＰＲＯＭ６０３に制御データを格納しておくことにより、コンピュータ本体１ａ側からの制御信号に合わせて、必用な制御データを読み出すことができる。従って、キーボードからの制御命令の他に、コンピュータ本体動作用のソフトウェア上に、予め、ディスプレイ装置１ｂに対する制御情報をプログラムしておくことで、ソフトウェア毎への対応も可能となる。
【００５１】
なお、以上説明したように、本実施例では、制御信号を映像信号または同期信号の垂直帰線期間などに重畳する方式を用いる場合について説明したが、制御信号として、映像信号の直流レベル自体を用いることもできる。この場合、制御信号抽出回路１８では、映像信号の直流レベルを再生し、この電圧値に合わせてディスプレイ装置１ｂの所定回路の調整を行なうようにすれば良い。また、本実施例では、ディスプレイ装置１ｂのビデオ回路２０及び偏向回路２１を調整する例について述べているが、その他に高圧回路部分を制御してフォーカス等の調整を行うことも、もちろん可能である。
【００５２】
図７は本発明の第２の実施例を示すブロック図である。同図において、１ｃは図１に示したコンピュータ本体とは別のコンピュータ本体を示しており、この中で７０は制御信号作成回路である。また、１ｄは図１に示したディスプレイ装置とは別のディスプレイ装置を示しており、この中で７１は図１に示したディスプレイ制御回路１９とは別のディスプレイ制御回路である。その他、図１と同一番号は同一機能を示す。
【００５３】
以下、図７の動作について簡単に説明する。
【００５４】
同図では、映像信号及び同期信号は一般的なパーソナルコンピュータやワークステーションと同様な表示制御回路１５から出力される。
【００５５】
ここで、コンピュータ本体１ｃに接続されたキーボード（図示せず）から、コンピュータの利用者が、ディスプレイ装置１ｄの表示画面を調整するための制御命令を入力すると、その制御命令は、キーボードコントローラ１２，ＣＰＵ１１を介し、コンピュータバスを経て制御信号作成回路７０に送られる。
【００５６】
制御信号作成回路７０では、その制御命令を保持し、その制御命令に対応した制御信号を作成して、ディスプレイ装置１ｄに適当なタイミングで出力する。この際の出力方式としては、例えば、ＲＳ−２３２Ｃ、ＧＰ−ＩＢ、セントロニクス、ＳＣＳＩなどの既存のインターフェイスを用いることが可能である。従って、制御信号作成回路７０には該当するインターフェイス回路が含まれている。
【００５７】
次に、ディスプレイ装置１ｂのディスプレイ制御回路７１が、制御信号作成回路７０から出力された制御信号を、ディスプレイ制御回路７１に含まれる、上記インターフェイス回路と同様のインターフェイス回路を介して入力し、その制御信号をもとに、ビデオ回路２０及び偏向回路２１に対する調整信号としての調整電圧もしくは調整電流を発生して、ビデオ回路２０及び偏向回路２１を調整する。
【００５８】
本実施例では、制御信号のやりとりを汎用インターフェイスで行うため、ディスプレイ装置１ｄ側とコンピュータ本体１ｃ側で双方向の通信が可能である。このため、ディスプレイ装置１ｄが制御信号を正しく受け取ったか、現時点のディスプレイ装置１ｄの制御状態がどの様になっているか、またはディスプレイ装置１ｄ側が正常に動作しているかなどをモニターすることも可能である。
【００５９】
図８は本発明の第３の実施例を示すブロック図である。同図において、１ｅは図１，図７に示したコンピュータ本体とは別のコンピュータ本体を示しており、その中で８１はディスプレイ表示イメージの画像データを作成する表示処理回路、８２はインターフェイス回路である。１ｆは図１，図７に示したディスプレイ装置とは別のディスプレイ装置を示しており、８３はインターフェイス回路、８４はディスプレイ装置１ｂを駆動するための各種信号を作成するディスプレイコントローラである。なお、インターフェイス回路（以下、Ｉ／Ｆ回路）８２，８３は、コンピュータ本体１ｅ内の表示処理回路８１とディスプレイ装置１ｆ内のディスプレイコントローラ８４との信号の授受を行う為のものである。また、その他、図１及び図７と同一番号は同一機能を示すものである。
【００６０】
以下、図８の動作について簡単に説明する。
【００６１】
ＣＰＵ１１から発せられる画像処理命令は、コンピュータバスを経て、表示処理回路８１へ送られる。表示処理回路８１では、その画像処理命令を受け取り、ディスプレイ表示イメージの画像データを作成する。
【００６２】
この際、コンピュータ本体１ｅに接続されたキーボード（図示せず）から、コンピュータの利用者が、ディスプレイ装置１ｆの表示画面を調整するための制御命令を入力すると、その制御命令は、キーボードコントローラ１２，ＣＰＵ１１を介し、コンピュータバスを経て表示処理回路８１へ送られる。表示処理回路８１では、その制御命令が送られてくると、画像データ領域外の所定の箇所に制御信号を作成する。
【００６３】
この様にして作成された画像データと制御信号は、Ｉ／Ｆ回路８２で所定のインターフェイス仕様、例えば、転送レートの大きいＳＣＳＩ規格などに対応して、画像情報としてディスプレイ装置１ｆに向けて出力される。
【００６４】
ディスプレイ装置１ｆでは、Ｉ／Ｆ回路８３がＩ／Ｆ回路８２からの画像情報を入力し、ディスプレイコントローラ８４に順次送る。ディスプレイコントローラ８４は、送られてきた画像情報を順次内部メモリに書き込み、書き込んだ画像情報のうち、画像データ部分よりＲ、Ｇ、Ｂの各映像信号と同期信号を作成する。また、画像情報の中に上記制御信号が存在すれば、ビデオ回路２０及び偏向回路２１に対する調整信号としての調整電圧もしくは調整電流を発生して、ビデオ回路２０及び偏向回路２１を調整する。
【００６５】
更に、ディスプレイコントローラ８４は、所定時間内にその内部メモリに書き込まれた画像情報が更新されない場合には、ビデオ回路２０を制御して、映像信号の振幅を最小レベルとすることで、陰極線管２２の焼き付きを防止する。
【００６６】
本実施例においても、コンピュータ本体１ｅとディスプレイ装置１ｆ間のインターフェイスは双方向性を有するため、コンピュータ本体１ｅ側から画像データや制御信号を送るばかりでなく、ディスプレイ装置１ｆ側からも受信確認の合図や動作状況の報告などの送信が可能となる。また、コンピュータ本体１ｅとディスプレイ装置１ｆ間の接続がインターフェイスケーブル１本となるので、接続の煩わしさなども解消できる。
【００６７】
図９は本発明の第４の実施例を示すブロック図である。同図において、１ｇは図１，図７，図８に示したコンピュータ本体とは別のコンピュータ本体を示しており、その中で９１は変調回路である。１ｈは図１，図７，図８に示したディスプレイ装置とは別のディスプレイ装置を示しており、その中で９２はディスプレイ制御回路、９３は復調回路、９４及び９５は電源プラグ、である。その他、図１と同一番号は同一機能を有するものである。
【００６８】
図９の動作は以下のようになる。
【００６９】
コンピュータ本体１ｇに接続されたキーボード（図示せず）から、コンピュータの利用者が、ディスプレイ装置１ｈの表示画面を調整するための制御命令を入力すると、その制御命令は、キーボードコントローラ１２を介してＣＰＵ１１に送られる。ＣＰＵ１１では、その制御命令を処理し、その制御命令に対応した制御信号を、コンピュータバスを経て変調回路９１に対し送る。変調回路９１は、受け取った制御信号を変調し、ＡＣ電源に重畳した後、電源プラグ９４より電源ラインを通して、ディスプレイ装置１ｈ側に伝送する。
【００７０】
ディスプレイ装置１ｈでは、電源ラインを通して電源プラグ９５からＡＣ電源が供給されると、復調回路９３において、ＡＣ電源に重畳されている変調された制御信号を復調し、元の制御信号を再生する。再生された制御信号は、ディスプレイ制御回路９２に入力され、ディスプレイ制御回路９２は、その制御信号の指示内容に従って、ビデオ回路２０及び偏向回路２１に対する調整信号としての調整電圧もしくは調整電流を発生して、ビデオ回路２０及び偏向回路２１を調整する。
【００７１】
この様にして、本実施例では、電源ラインを通してディスプレイ装置１ｈに対する制御信号を伝送するため、制御信号用の信号線を増やすこと無く、ディスプレイ装置１ｈの制御を行うことができる。
【００７２】
図１０は本発明の第５の実施例を示すブロック図である。同図において、１ｉは一般的なパーソナルコンピュータやワークステーションを示すコンピュータ本体を示しており、また、１ｉは図１，図７，図８，図９に示したディスプレイ装置とは別のディスプレイ装置を示しており、その中で１０１はコマンド識別回路、１０２はディスプレイ制御装置、である。１ｋはコンピュータ本体１ｉ及びディスプレイ装置１ｊに接続されるキーボードを示している。その他、図１と同一番号は同一機能を示す。
【００７３】
図１０の動作は以下のようになる。
【００７４】
図１０では、コンピュータの利用者がキーボード１ｋを操作すると、キー入力信号はコンピュータ本体１ｉと更にディスプレイ装置１ｊに入力される。このうち、ディスプレイ装置１ｊでは、キー入力信号をコマンド識別回路１０１において処理し、そのキー入力信号がディスプレイ装置１ｊの表示画面を調整するための制御命令である場合には制御信号として取り出す。ディスプレイ制御回路１０２は、その制御信号の指示内容に従って、ビデオ回路２０及び偏向回路２１に対する調整信号としての調整電圧もしくは調整電流を発生して、ビデオ回路２０及び偏向回路２１を調整する。
【００７５】
本実施例では、コンピュータ本体１ｉでディスプレイ装置１ｊに対する制御信号を作成することがないので、コンピュータ本体１ｉ側のＣＰＵにかかる負担は全く無い。この様にして、コンピュータの利用者はディスプレイ装置１ｊに直接触れることなく、キーボード１ｋから制御することが可能となる。
【００７６】
ここで、キーボード１ｋからディスプレイ装置１ｊに接続される信号線としては、コンピュータ本体１ｉに接続するものをそのまま分配しても良いし、または、ディスプレイ装置１ｊに対する制御命令だけを取り扱う専用の信号線としても構わない。前者の場合は、キーボード１ｋとして一般的なものがそのまま利用できる。また、後者の場合には、キーボード１ｋにディスプレイ制御用の専用キーを付加することとなる。
【００７７】
更に、キーボード１ｋとディスプレイ装置１ｊ間の接続線を減らすために、赤外線等を用いたリモートコントロール回路を使用することで、配線による煩わしさを抑えることができる。また、本実施例では、制御命令の入力手段としてキーボード１ｋを使用しているが、マウスやタッチパネル、ライトペン、などの入力装置を用いることももちろん可能である。
【００７８】
【発明の効果】
本発明によれば、コンピュータの利用者は、ディスプレイ装置の調整スイッチなどに手を延ばさなくとも、手元にあるキーボード等の入力装置から表示画面の調整が行なえ、しかも、利用者の必要とする表示状態を的確に得ることができる。従って、コンピュータシステムにおける操作性の向上及びディスプレイ装置の使い勝手の向上が図れる。また、制御用ハードウェアについても必用最小限の構成で実現可能である。
【図面の簡単な説明】
【図１】本発明の第１の実施例を示すブロック図である。
【図２】図１の制御信号重畳回路１６の一具体例を示すブロック図である。
【図３】図２の要部信号の波形を示す波形図である。
【図４】図１の制御信号抽出回路１８及びディスプレイ制御回路１９の一具体例を示すブロック図である。
【図５】図４の要部信号の波形を示す波形図である。
【図６】図１の制御信号抽出回路１８及びディスプレイ制御回路１９の他の具体例を示すブロック図である。
【図７】本発明の第２の実施例を示すブロック図である。
【図８】本発明の第３の実施例を示すブロック図である。
【図９】本発明の第４の実施例を示すブロック図である。
【図１０】本発明の第５の実施例を示すブロック図である。
【符号の説明】
１ａ，１ｃ，１ｅ，１ｇ，１ｉ…コンピュータ本体、１ｂ，１ｄ，１ｆ，１ｈ，１ｊ…ディスプレイ装置、１６…制御信号重畳回路、１８…制御信号抽出回路、１９，７１，９２，１０２…ディスプレイ制御回路、７０…制御信号作成回路、８１…表示処理回路、８４…ディスプレイコントローラ、９１…変調回路、９２…復調回路、１ｋ…キーボード、１０１…コマンド識別回路。
【図１】
0003570428.tif 000002
【図２】
0003570428.tif 000003
【図３】
0003570428.tif 000004
【図４】
0003570428.tif 000005
【図５】
0003570428.tif 000006
【図６】
0003570428.tif 000007
【図７】
0003570428.tif 000008
【図８】
0003570428.tif 000009
【図９】
0003570428.tif 000010
【図１０】
0003570428.tif 000011